(57)【要約】【課題】ラジエーション・ダンピングを有効活用することによって、繰り返し待ち時間を大幅に短縮させることが可能なＮＭＲ装置を提供する。【解決手段】高周波パルスの印加からＮＭＲ信号の検出までの時間帯はラジエーション・ダンピングが起こりにくいモードとし、ＮＭＲ信号の検出から次の高周波パルスの印加までの時間帯はラジエーション・ダンピングが起こりやすいモードとして、両モードを測定の進行に合わせて切り換えるようにした。【選択図】図２
2007132699.tif 000002
【特許請求の範囲】
【請求項１】
高周波パルスの印加からＮＭＲ信号の検出までの時間帯はラジエーション・ダンピングが起こりにくいモードとし、ＮＭＲ信号の検出から次の高周波パルスの印加までの時間帯はラジエーション・ダンピングが起こりやすいモードとして、両モードを測定の進行に合わせて切り換えるようにしたことを特徴とするＮＭＲ装置。
【請求項２】
前記ＮＭＲ装置は、送信系から出力される高周波パルスをＮＭＲ検出コイルから試料に印加させる第１の高周波線路と、試料から放出されるＮＭＲ信号をＮＭＲ検出コイルで検出して受信系に導く第２の高周波線路と、試料から放出されるＮＭＲ信号をその位相に対して反射波の位相が同位相になるように反射する終端部を備えた第３の高周波線路とを有し、
前記ラジエーション・ダンピングが起こりやすいモードは、前記ＮＭＲ検出コイルを前記第３の高周波線路に接続することによって構成されることを特徴とする請求項１記載のＮＭＲ装置。
【請求項３】
送信系から出力される高周波パルスをＮＭＲ検出コイルから試料に印加させる際には、ＮＭＲ検出コイルを送信系と接続し、
試料から放出されるＮＭＲ信号をＮＭＲ検出コイルで検出して受信系に導く際には、ＮＭＲ検出コイルを受信系と接続し、
ＮＭＲ信号の検出後、次の高周波パルスの印加までの待ち時間には、ＮＭＲ検出コイルを高周波回路に接続することを特徴とするＮＭＲ装置。
【請求項４】
前記高周波回路は、ＮＭＲ検出コイルから出力される高周波の位相に対して、反射波の位相が同位相になるように反射する終端部を備えていることを特徴とする請求項３記載のＮＭＲ装置。
【請求項５】
送信系から出力される高周波パルスをＮＭＲ検出コイルから試料に印加させる第１の高周波線路と、試料から放出されるＮＭＲ信号をＮＭＲ検出コイルで検出して受信系に導く第２の高周波線路と、試料が放出するＮＭＲ信号をその位相に対して反射波の位相が同位相になるように反射する終端部を備えた第３の高周波線路とを有するＮＭＲ装置の調整方法であって、
最初に第２の高周波線路のケーブル長をラジエーション・ダンピングが起こりにくい条件に調整し、
次に第１の高周波線路のケーブル長をラジエーション・ダンピングが起こりにくい条件に調整し、
最後に第３の高周波線路のケーブル長を試料から放出されるＮＭＲ信号をその位相に対して反射波の位相が同位相になるように反射する長さに調整することを特徴とするＮＭＲ装置の調整方法。
【発明の詳細な説明】
【技術分野】
【０００１】
本発明は、ＮＭＲ（nuclear magnetic resonance）装置及びその調整方法に関し、特に、測定の待ち時間を大幅に短縮することができるＮＭＲ装置及びその調整方法に関する。
【背景技術】
【０００２】
従来、化学における構造解析分野において、高分解能のＮＭＲ装置が広範に利用されている。一般に、ＮＭＲの測定は、静磁場中に置かれた試料に高周波パルスを印加して試料中の核磁化を励起させ、高周波パルス印加後に試料から放出される応答信号（ＮＭＲ信号）を検出し、それをコンピュータに取り込んで解析することにより行なわれる。ＮＭＲ信号は、一般に微弱であるため、高周波パルスによって励起された試料が平衡状態にまで緩和されるのを待って、再び高周波パルスを印加し、試料を励起させる操作を繰り返して、繰り返しの都度得られるＮＭＲ信号を積算することにより、測定感度を向上させている。
【０００３】
その際、ＮＭＲ信号を検出するまでの待ち時間（繰り返し時間）は、次の積算までに試料中の核磁化が平衡状態にまで十分緩和されていることが求められるため、緩和時間が長い試料では、ＮＭＲ信号検出後の待ち時間を長くとる必要がある。
【０００４】
そのような場合、これまでは、緩和試薬と呼ばれる核磁化の緩和を促進させる試薬を試料中に添加することで、緩和を促進させ、繰り返し待ち時間を短くして、測定の効率化を図っていた。
【０００５】
しかし、添加する緩和試薬は、クロムやコバルトなどの配位性化合物であり、試料の状態に大きな影響を与えるので、試料の物性情報などを研究対象とした場合には、この手法により繰り返し時間を短くすることは不可能であった。
【０００６】
良く添加される緩和試薬としては、ＤＴＢＮ、Cr(AcAc)3、Co(AcAc)2、(CH3COO)3Mn、Cr(en)3Clなどが上げられ、このような緩和試薬を添加しても試料の状態（立体構造、電子状態など）が変わらない試料は、非常に少ない。
【０００７】
【非特許文献１】Ray Freeman著、坂口潮・嶋田一夫・荒田洋治訳「ＮＭＲハンドブック」、共立出版株式会社刊（1992年3月）、217〜220頁。
【０００８】
【特許文献１】特開2005-106565号公報。
【発明の開示】
【発明が解決しようとする課題】
【０００９】
ところで、ＮＭＲスペクトル観測の際、試料中に大きな核磁化が存在すると、その核磁化により誘起された誘導磁場が発生する。このような現象を伴う系では、励起状態の核磁化からエネルギーが逃げやすくなるため、核磁化が励起状態から平衡状態へ戻るのが速くなる。一般にラジエーション・ダンピング（Radiation Damping＝放射減衰）と呼ばれるこの現象は、観測しているＮＭＲ信号の広幅化を引き起こし、ＮＭＲスペクトルの劣化につながるため、いかにラジエーション・ダンピングを少なくするかが、良いＮＭＲスペクトルの収集にとって重要となる。
【００１０】
ところが、ＮＭＲ測定中は好まれないラジエーション・ダンピングであるが、測定間の繰り返し待ち時間の間は、ＮＭＲ信号の広幅化ということは全く問題ではなく、繰り返し待ち時間の最中に重要なのは、いかに速く試料の状態を平衡状態に戻すかということである。そこで、繰り返し待ち時間の最中にラジエーション・ダンピングを有効活用すれば、試料の状態をすみやかに平衡状態に戻せ、繰り返し待ち時間を大幅に短縮させることが可能になると考えられる。
【００１１】
本発明の目的は、前述の実情に鑑みて提案されるものであって、ラジエーション・ダンピングを有効活用することによって、繰り返し待ち時間を大幅に短縮させることが可能なＮＭＲ装置を提供することにある。
【課題を解決するための手段】
【００１２】
この目的を達成するため、本発明にかかるＮＭＲ装置は、
高周波パルスの印加からＮＭＲ信号の検出までの時間帯はラジエーション・ダンピングが起こりにくいモードとし、ＮＭＲ信号の検出から次の高周波パルスの印加までの時間帯はラジエーション・ダンピングが起こりやすいモードとして、両モードを測定の進行に合わせて切り換えるようにしたことを特徴としている。
【００１３】
また、前記ＮＭＲ装置は、前記ＮＭＲ装置は、送信系から出力される高周波パルスをＮＭＲ検出コイルから試料に印加させる第１の高周波線路と、試料から放出されるＮＭＲ信号をＮＭＲ検出コイルで検出して受信系に導く第２の高周波線路と、試料から放出されるＮＭＲ信号をその位相に対して反射波の位相が同位相になるように反射する終端部を備えた第３の高周波線路とを有し、
前記ラジエーション・ダンピングが起こりやすいモードは、前記ＮＭＲ検出コイルを前記第３の高周波線路に接続することによって構成されることを特徴としている。
【００１４】
また、送信系から出力される高周波パルスをＮＭＲ検出コイルから試料に印加させる際には、ＮＭＲ検出コイルを送信系と接続し、
試料から放出されるＮＭＲ信号をＮＭＲ検出コイルで検出して受信系に導く際には、ＮＭＲ検出コイルを受信系と接続し、
ＮＭＲ信号の検出後、次の高周波パルスの印加までの待ち時間には、ＮＭＲ検出コイルを高周波回路に接続することを特徴としている。
【００１５】
また、前記高周波回路は、ＮＭＲ検出コイルから出力される高周波の位相に対して、反射波の位相が同位相になるように反射する終端部を備えていることを特徴としている。
【００１６】
また、本発明にかかるＮＭＲ装置の調整方法は、
送信系から出力される高周波パルスをＮＭＲ検出コイルから試料に印加させる第１の高周波線路と、試料から放出されるＮＭＲ信号をＮＭＲ検出コイルで検出して受信系に導く第２の高周波線路と、試料から放出されるＮＭＲ信号をその位相に対して反射波の位相が同位相になるように反射する終端部を備えた第３の高周波線路とを有するＮＭＲ装置の調整方法であって、
最初に第２の高周波線路のケーブル長をラジエーション・ダンピングが起こりにくい条件に調整し、
次に第１の高周波線路のケーブル長をラジエーション・ダンピングが起こりにくい条件に調整し、
最後に第３の高周波線路のケーブル長を試料から放出されるＮＭＲ信号をその位相に対して反射波の位相が同位相になるように反射する長さに調整することを特徴している。
【発明の効果】
【００１７】
本発明のＮＭＲ装置によれば、高周波パルスの印加からＮＭＲ信号の検出までの時間帯はラジエーション・ダンピングが起こりにくいモードとし、ＮＭＲ信号の検出から次の高周波パルスの印加までの時間帯はラジエーション・ダンピングが起こりやすいモードとして、両モードを測定の進行に合わせて切り換えるようにしたので、
ラジエーション・ダンピングを有効活用することによって、繰り返し待ち時間を大幅に短縮させることが可能になった。
【００１８】
また、本発明のＮＭＲ装置の調整方法によれば、送信系から出力される高周波パルスをＮＭＲ検出コイルから試料に印加させる第１の高周波線路と、試料から放出されるＮＭＲ信号をＮＭＲ検出コイルで検出して受信系に導く第２の高周波線路と、試料から放出されるＮＭＲ信号をその位相に対して反射波の位相が同位相になるように反射する終端部を備えた第３の高周波線路とを有するＮＭＲ装置の調整方法であって、
最初に第２の高周波線路のケーブル長をラジエーション・ダンピングが起こりにくい条件に調整し、
次に第１の高周波線路のケーブル長をラジエーション・ダンピングが起こりにくい条件に調整し、
最後に第３の高周波線路のケーブル長を試料から放出されるＮＭＲ信号をその位相に対して反射波の位相が同位相になるように反射する長さに調整するので、
ラジエーション・ダンピングを有効活用することによって、繰り返し待ち時間を大幅に短縮させることが可能になった。
【発明を実施するための最良の形態】
【００１９】
以下、図面に基づいて、本発明の実施例について説明する。
【実施例１】
【００２０】
ラジエーション・ダンピングは、ＮＭＲ信号がプローブの検出コイルに起電力を引き起こし、その電流が作る誘導磁場によってＮＭＲ信号の磁化の戻りが速くなる現象である。その影響は、ＮＭＲ信号が強い高磁場のＮＭＲ装置で顕著になる。
【００２１】
まず、図１に基づいてラジエーション・ダンピングを説明する。ラジエーション・ダンピングとは、ＮＭＲでしばしば用いられる説明では、回転する小さな原子核の１つ１つが磁石であり、その総和を磁化ベクトルとして扱う。高周波パルスにより磁化ベクトルは倒され、パルスが途切れた後、磁化ベクトルは元の方向（静磁場方向、Ｚ方向）に戻っていく。磁化ベクトルが横倒しになっているときには、言わば「高速回転する磁石が検出コイルの中にある」ようなものなので、検出コイルには誘導起電力が発生する。この誘導起電力でコイルに電流が流れることにより、磁場が発生し、その磁場が倒れた磁化ベクトルをＺ方向に戻すように作用する。この作用のため、核磁化のＺ方向への戻り（すなわち緩和）が予想されるより速くなってしまうのがラジエーション・ダンピングである。
【００２２】
高周波を照射して水由来の不要信号を消去する際に、ラジエーション・ダンピングで水消えが悪くなるのは、水分子中の1Ｈ核の緩和時間が短くなるため、水由来のＮＭＲ信号の線幅が太くなり、照射する高周波の帯域幅から水のＮＭＲ信号の一部がはみ出してしまうことに原因がある。
【００２３】
ラジエーション・ダンピング自体は物理現象なので避けようがないが、ＮＭＲ装置のハードウェアの性質を利用して軽減させることができる。ＮＭＲ信号は、通常は、図１に示した経路により観測される。このとき、高周波パルスの照射を行なっている経路（送信系）とＮＭＲ信号の検出を行なっている経路（受信系）は、途中にあるデュプレクサ（DPLX）により切り換えられている。
【００２４】
DPLXが受信系の前置増幅器（Pre-AMP）側に接続されている状態では、誘導電流はDPLXを経由してPre-AMPまで到達する。増幅器で最大のＳ／Ｎを得ようとすると、そのインピーダンスは５０Ωからずれる。これはノイズマッチと呼ばれ、一般的な増幅器の性質である。Pre-AMPもノイズマッチされているので、入力インピーダンスは５０Ωからずれている。そのため、Pre-AMPの入力では反射が起きている。ラジエーション・ダンピングで誘導された電流も例外ではなく、反射されてプローブの検出コイルに戻っていく。
【００２５】
このとき、反射波の位相が元の誘導電流の位相と反対になっていれば、電流が互いに相殺され、ラジエーション・ダンピングによる信号広幅化が軽減される（図２ａ）。
【００２６】
また、DPLXが送信系の電力増幅器（Power AMP）側に接続されている状態では、電力線をGNDに短絡してノイズをブランクしている。つまり、測定のシーケンス中で高周波パルスをＯＦＦにし、かつＮＭＲ信号の積算を行なっていない時間帯では、電力増幅器の高周波スイッチ部分で誘導電流の反射が起きる。
【００２７】
このとき、反射波の位相が元の誘導電流の位相と反対になっていれば、電流が互いに相殺され、ラジエーション・ダンピングによる信号広幅化が軽減される（図２ｂ）。
【００２８】
従来までは、２つの経路をDPLXで切り換えることによって、ラジエーション・ダンピングが軽減された状態で測定を行なうことができた。しかし、この状態では、測定の繰り返し時間中でもラジエーション・ダンピングが軽減される状態にある。繰り返し時間中は、核磁化の緩和が速い方が良いが、ラジエーション・ダンピングが軽減されると、核磁化の緩和が起こりにくくなる。
【００２９】
本実施例では、DPLXで切り換える経路として、終端部に開口端または閉口端を備えたもう１つの経路を追加した（図２ｃ）。終端部は、高周波が反射できるならば、開口端であっても閉口端であっても良い。このとき、追加された経路は、他の２つの経路とは異なり、反射された誘導電流が元の誘導電流の位相と同位相で検出コイルに戻る条件に線路長が設定されている。
【００３０】
実際の測定の際に、繰り返し待ち時間中の経路をこの３つ目の経路（図２ｃ）に接続すると、試料中の核磁化の緩和が速くなるが、測定開始後はこれまでの経路（図２ａまたは図２ｂ）に接続することで、ラジエーション・ダンピングが軽減された先鋭な信号を観測することができる。
【００３１】
次に、実際に反射波の位相を調整して、ラジエーション・ダンピングを軽減する方法について説明する。まず、ラジエーション・ダンピングを評価する方法について説明する。ラジエーション・ダンピングはＺ方向への磁化の戻りを速くする働きがあるので、それを観測すれば評価の指針になる。Ｚ方向への磁化の戻りは、１８０°パルス照射後のＮＭＲ信号により観測できる。完璧な１８０°パルスではＮＭＲ信号はまったく出ないはずだが、実際には磁場不均一などの理由で少量のＮＭＲ信号が残る。その残った信号が戻っていくようすを、測定結果を時間領域（ＦＩＤそのまま）で見たときに観測できる（図３）。
【００３２】
実際にＮＭＲ装置によってラジエーション・ダンピングを観測した例を図４に示す。図４はＦＩＤなので、横軸は時間（msec）である。このＦＩＤの最大振幅になる時間を比較して、目安にする。この時間が長いほど、磁化のＺ軸への戻りが遅い。つまり、ラジエーション・ダンピングが軽減されたことを意味する。
【００３３】
この測定の注意点は、次の２点である。
（１）パルス幅により結果が違って見えるので、１８０°パルスは、３６０°パルスから正確に１／２に設定すること。
（２）offsetにより結果が違って見えるので、固定にすること。今回は７ppm。
【００３４】
まず、最初に、反射波の位相を調整するためには、プローブとPre-AMP間（経路１）のケーブル長を変える。本実施例では、治具として、コネクタ先端間が７０mm、８０mm、８８mm、１０２mm、１２０mm、１４０mm、１５３mm、１７０mmの８Ｄケーブルを製作して持参し、これらをプローブとPre-AMP間に挿入してみて、上記の時間を比較した。この方法の概念図を図５に示す。
【００３５】
プローブとPre-AMP間のケーブル長を変えて測定したＦＩＤの例を図６に示す。挿入したケーブルは、上から順に８８mm、１０２mm、１２０mm、１４０mmである。この例では、１０２mmのときが最も時間がかかっており、この長さにすればラジエーション・ダンピングが軽減されることになる。
【００３６】
なお、ケーブルを挿入する際には、中継コネクタを用いているため、例えば１０２mmのケーブルを挿入したからと言って、ケーブル長の絶対値が１０２mm増えたとは言えない。あくまでケーブル長の「差」で比較する。もちろん、この長さは装置やプローブによって異なる固有の値である。
【００３７】
次に、電力増幅器（Power AMP）側の反射波の位相、および、終端部を備えた追加経路側の反射波の位相も、同様にしてケーブル長の変更で調整する。長さを変える場所は、DPLXの後段であって、かつ電力増幅器（Power AMP）または終端部の前段である。この方法の概念図を図７に示す。
【００３８】
調整の評価は、Pre-AMPのときと同様に、１８０°パルスの残りをＦＩＤで見ても良いが、次のようにすると、Power AMP側（経路２）または終端側（経路３）の効果だけを評価することができる。
【００３９】
シングルパルス法では、Power AMP側または終端側で反射が起こるのは、高周波パルスが途切れてからDPLXがPower AMP側に切り換わるまでの間、すなわちDead Timeの期間である。そこで、シングルパルスの測定をDead Timeを変えて行なう（図８）。
【００４０】
Dead Timeが長いのは、経路２または経路３で反射している時間が長いことを反映している、ということを利用することにある。もし反射波の位相が反位相になっていれば、Dead Timeを長くすればするほどラジエーション・ダンピングの効果は軽減され、ＮＭＲ信号は鋭くなり、その減衰は遅くなる。逆に、もし反射波の位相が同位相になっていれば、Dead Timeを長くすればするほどラジエーション・ダンピングの効果は軽減されず、ＮＭＲ信号は鈍くなり、その減衰は速くなる。
【００４１】
図９は、Dead Timeを１msecおきに１〜１０msecまで変えたものである。Dead Timeを変えてしまうので、位相は合わなくなるから、スペクトルは絶対値モードで見る。また、信号が飽和しないように、フリップアングルは小さくする。図の例は、３０°パルスを用いた例である。左から何も入れないとき、７０mmのケーブルを入れたとき、１０２mm、１２０mm、１４０mm、１５３mm、１７０mm、である。この場合は、１４０mmのケーブルを挿入したときが最も減衰が遅く、１０２mmのケーブルを挿入したときが最も減衰が速い。
【００４２】
以上の調整は、以下のような順番で進められる。まず、経路１のケーブル長は、経路２、経路３の長さにも影響するので、先に経路１のケーブル長を調整し、次に経路２を調整すれば、どちらも良好な状態にすることができる。
【００４３】
また、経路１、経路２の調整では、ラジエーション・ダンピングが最も軽減されるケーブル、経路３の調整では、ラジエーション・ダンピングが最も大きいケーブルを選択する。
【００４４】
以上のような調整により、経路１、経路２は核磁化が緩和されにくい条件に設定され、経路３は核磁化が緩和されやすい条件に設定される。図６および図９の例では、経路１に挿入するケーブルの長さは１０２mm、経路２に挿入するケーブルの長さは１４０mm、経路３に挿入するケーブルの長さは１０２mmが良いということになる。
【００４５】
この状態で、高周波パルス印加中は経路２、ＮＭＲ信号検出中は経路１、繰り返し待ち時間中は経路３にDPLXを切り換えることで、繰り返し時間を短くしたＮＭＲ測定が可能になる。
【実施例２】
【００４６】
図１０は、本発明にかかる別の実施例である。目的としている動作は実施例１と同じであり、実施例１の図２に示した３つの経路を切り換えるDPLX１台を、２つの経路を切り換えるDPLX２台に置き換えたものである。実装方法は異なるが、３経路切り換えのDPLXではなく、２経路切り換えのDPLXが２つ使われており、実施例１での経路１の接続状態のときに、２経路切り換えDPLXのみが経路上に存在する。
【００４７】
回路の経路長の調整方法を図１１〜１３に示す。本実施例においても、実施例１の場合と同様に、３経路それぞれの経路長を調整する必要がある。したがって、実施例１に示されているように、数種類の長さの異なるケーブルを入れ替えることによって、ラジエーション・ダンピングが最も軽減される長さ（経路１と経路２）、または、ラジエーション・ダンピングが最も大きくなる長さ（経路３）を選ぶ。ただし、ケーブルを挿入する位置が実施例１とは異なっている。
【００４８】
経路１の調整では、ケーブルはプローブとDPLX１との間に挿入する。経路２の調整では、ケーブルはDPLX２と電力増幅器との間に挿入する。経路３の調整では、ケーブルはDPLX２と終端部との間に挿入する。
【００４９】
また、経路１の調整を行なう際には、図１４または図１５のようなパルスシーケンスを用いて、図のDelay Timeを変化させて実施例１と同様のケーブル長の調整を行なう。同様に、経路２の調整には図１４のパルスシーケンス、経路３の調整には図１５のパルスシーケンスを用いて図のDead Timeを変化させて実施例１と同様のケーブル長の調整を行なう。
【００５０】
実施例２の場合も、３つの経路長の調整後は、測定の繰り返し待ち時間中に経路３が接続された状態にすることで、核磁化の緩和を速め、繰り返し時間を短縮して測定を行なうことができる。
【実施例３】
【００５１】
図１６は、本発明にかかる別の実施例である。目的としている動作は実施例１と同じであり、実施例１の図２に示した３つの経路を切り換えるDPLX１台を、２つの経路を切り換えるDPLX２台に置き換えたものである。実装方法は異なるが、３経路切り換えのDPLXではなく、２経路切り換えのDPLXが２つ使われており、実施例１での経路１の接続状態のときに、２経路切り換えDPLXが２つ経路上に存在する。
【００５２】
回路の経路長の調整方法を図１６を使って説明する。本実施例においても、実施例１の場合と同様に、３経路それぞれの経路長を調整する必要がある。したがって、実施例１に示されているように、数種類の長さの異なるケーブルを入れ替えることによって、ラジエーション・ダンピングが最も軽減される長さ（経路１と経路２）、または、ラジエーション・ダンピングが最も大きくなる長さ（経路３）を選ぶ。ただし、ケーブルを挿入する位置が実施例１とは異なっている。
【００５３】
経路１の調整では、ケーブルはDPLX２とDPLX１との間（２の位置）に挿入する。経路２の調整では、ケーブルはDPLX１と電力増幅器との間（３の位置）に挿入する。経路３の調整では、ケーブルはプローブとDPLX２との間（１の位置）、またはDPLX２と終端部との間（１’の位置）に挿入する。
【００５４】
また、経路１の調整を行なう際には、図１７のようなパルスシーケンスを用いて、図のDelay Timeを変化させて実施例１と同様のケーブル長の調整を行なう。同様に、経路２のと経路３の調整には図１７のパルスシーケンスを用いて図のDead Timeを変化させて実施例１と同様のケーブル長の調整を行なう。
【００５５】
また、経路３の調整をするに際して、１の位置にケーブルを挿入する場合には、経路２と経路３の調整を行なう前に調整を行なう必要がある。しかし、１’の位置にケーブルを挿入する場合には、経路２と経路３の調整を行なった後に調整を行なっても良い。
【００５６】
実施例３の場合も、３つの経路長の調整後は、測定の繰り返し待ち時間中に経路３が接続された状態にすることで、核磁化の緩和を速め、繰り返し時間を短縮して測定を行なうことができる。
【産業上の利用可能性】
【００５７】
ＮＭＲ装置に広く利用できる。
【図面の簡単な説明】
【００５８】
【図１】ラジエーション・ダンピングの概念を示す図である。
【図２】本発明にかかるＮＭＲ装置の一実施例を示す図である。
【図３】本発明にかかる調整方法の概念を示す図である。
【図４】本発明にかかる調整方法の一例を示す図である。
【図５】本発明にかかる調整方法の一例を示す図である。
【図６】本発明にかかる調整方法の一例を示す図である。
【図７】本発明にかかる調整方法の一例を示す図である。
【図８】本発明にかかる調整方法の一例を示す図である。
【図９】本発明にかかる調整方法の一例を示す図である。
【図１０】本発明にかかるＮＭＲ装置の別の実施例を示す図である。
【図１１】本発明にかかる調整方法の一例を示す図である。
【図１２】本発明にかかる調整方法の一例を示す図である。
【図１３】本発明にかかる調整方法の一例を示す図である。
【図１４】本発明にかかる調整方法の一例を示す図である。
【図１５】本発明にかかる調整方法の一例を示す図である。
【図１６】本発明にかかるＮＭＲ装置の別の実施例を示す図である。
【図１７】本発明にかかる調整方法の一例を示す図である。
【図１】
2007132699.tif 000003
【図２】
2007132699.tif 000004
【図３】
2007132699.tif 000005
【図４】
2007132699.tif 000006
【図５】
2007132699.tif 000007
【図６】
2007132699.tif 000008
【図７】
2007132699.tif 000009
【図８】
2007132699.tif 000010
【図９】
2007132699.tif 000011
【図１０】
2007132699.tif 000012
【図１１】
2007132699.tif 000013
【図１２】
2007132699.tif 000014
【図１３】
2007132699.tif 000015
【図１４】
2007132699.tif 000016
【図１５】
2007132699.tif 000017
【図１６】
2007132699.tif 000018
【図１７】
2007132699.tif 000019